(57)【要約】ネットワーク同報通信情報を無線ローカルエリアネットワーク（ＷＬＡＮ）から無線機器に提供する、一つの例示的な方法は、一つ以上の利用可能なセルラーネットワークまたはネットワークデータベースから、一つ以上の利用可能なセルラーネットワークに関連するセルラーネットワーク同報通信情報を受信するステップと、一つ以上の利用可能なセルラーネットワークに関連する一つ以上のセルラー規格に従い、コンテンツおよび形式が変化するジェネリックコンテナメッセージにおける、セルラーネットワーク同報通信情報を提供するステップと、そのジェネリックコンテナメッセージを、無線機器による受信および使用のために、定期的に同報通信させるステップとを含む。【特許請求の範囲】
【請求項１】
無線ローカルエリアネットワークによってネットワーク同報通信情報を１つ以上の無線機器へ提供する方法であって、該方法は、
利用可能な１つ以上の無線ネットワークまたはネットワークデータベースから、該利用可能な１つ以上の無線ネットワークに関連する無線ネットワーク同報通信情報を受信するステップと、
該利用可能な１つ以上のネットワークに関連する１つ以上の規格に従ってコンテンツおよびフォーマットが異なる該無線ネットワーク同報通信情報を、ジェネリックコンテナメッセージとして提供するステップと、
該ジェネリックコンテナメッセージを、無線機器による受信および使用のために規則正しく同報通信させるステップと
を包含する、方法。
【請求項２】
前記ジェネリックコンテナメッセージを規則正しく同報通信させる前記ステップが、該ジェネリックコンテナメッセージを定期的に同報通信することを包含する、請求項１に記載の方法。
【請求項３】
前記無線ネットワーク同報通信情報が複数の無線ネットワークに関連する、請求項１に記載の方法。
【請求項４】
前記ジェネリックコンテナメッセージが技術特有コンテナを含む、請求項１に記載の方法。
【請求項５】
前記ジェネリックコンテナメッセージが、第１の無線ネットワークに関連する技術規格または規格団体を識別するためのデータフィールドを含む、請求項１に記載の方法。
【請求項６】
前記無線ネットワーク同報通信情報が、複数のセルラーネットワークに関連するセルラーネットワーク同報通信情報を含む、請求項１に記載の方法。
【請求項７】
前記無線ネットワーク同報通信情報が、
第１のフォーマットを有し、第１の無線ネットワークに関連する第１の無線ネットワーク情報と、
該第１のフォーマットとは異なる第２のフォーマットを有し、第２の無線ネットワークに関連する第２の無線ネットワーク情報と
を含む、請求項１に記載の方法。
【請求項８】
前記無線ネットワーク同報通信情報が、
第１の情報コンテンツを有し、第１の無線ネットワークに関連する第１の無線ネットワーク情報と、
該第１の情報コンテンツとは異なる第２の情報コンテンツを有し、第２の無線ネットワークに関連する第２の無線ネットワーク情報と
を含む、請求項１に記載の方法。
【請求項９】
無線ローカルエリアネットワーク（ＷＬＡＮ）であって、利用可能な１つ以上の無線ネットワークまたはネットワークデータベースから、利用可能な１つ以上の無線ネットワークに関連する無線ネットワーク同報通信情報を受信し、該利用可能な１つ以上のネットワークに関連する１つ以上の基準に従ってコンテンツおよびフォーマットが変化する該無線ネットワーク同報通信情報をジェネリックコンテナメッセージとして提供し、該ジェネリックコンテナメッセージを無線機器による受信および使用のために規則正しく同報通信させるように適合された、ＷＬＡＮ。
【請求項１０】
前記ＷＬＡＮが前記ジェネリックコンテナメッセージを定期的に同報通信するようにさらに適合された、請求項９に記載のＷＬＡＮ。
【請求項１１】
前記ジェネリックコンテナメッセージが技術特有コンテナを含む、請求項９に記載のＷＬＡＮ。
【請求項１２】
前記ジェネリックコンテナメッセージが、第１の無線ネットワークに関連する技術規格または規格団体を識別するためのデータフィールドを含む、請求項９に記載のＷＬＡＮ。
【請求項１３】
前記無線ネットワーク同報通信情報が、前記第１の無線ネットワークを識別する第１の無線ネットワーク情報を含む、請求項９に記載のＷＬＡＮ。
【請求項１４】
前記無線ネットワーク同報通信情報が、複数の無線ネットワークを含む利用可能な１つ以上のネットワークに関連する、請求項９に記載のＷＬＡＮ。
【請求項１５】
無線ローカルエリアネットワークからのネットワーク同報通信情報を無線機器によって受信・処理する方法であって、該方法は、
無線ローカルアリアネットワークからの同報通信情報をモニタするステップと、
該無線ローカルエリアネットワークによって規則正しく同報通信される、該無線ローカルエリアネットワークからのジェネリックコンテナメッセージを受信するステップであって、該ジェネリックコンテナメッセージは、１つ以上の利用可能なネットワークに関連する無線ネットワーク同報通信情報を含み、該無線ネットワーク同報通信情報は、該１つ以上の利用可能なネットワークに関連する１つ以上の無線規格に従ってコンテンツおよびフォーマットが異なる、ステップと、
該ジェネリックコンテナメッセージをデコードすることによって該利用可能な１つ以上の無線ネットワークに関連する該無線ネットワーク同報通信情報を識別するステップと、
該無線ネットワーク同報通信情報を該メモリ内に格納するステップと
を包含する、方法。
【請求項１６】
規則正しく同報通信される前記ジェネリックコンテナメッセージが、前記無線ローカルエリアネットワークによって定期的に同報通信される、請求項１５に記載の方法。
【請求項１７】
前記メモリ内に格納された前記無線ネットワーク同報通信情報を用いて、通信に利用可能な前記１つ以上の無線ネットワークのうちの１つを選択することをさらに包含する、請求項１５に記載の方法。
【請求項１８】
前記無線ネットワーク同報通信情報が、複数のセルラーネットワークに関連するセルラーネットワーク同報通信情報を含む、請求項１５に記載の方法。
【請求項１９】
前記ジェネリックコンテナメッセージが、第１の無線ネットワークに関連する技術規格または規格団体を識別するためのデータフィールドを含む、請求項１５に記載の方法。
【請求項２０】
前記無線ネットワーク同報通信情報が、
第１の情報コンテンツを有し、第１の無線ネットワークに関連する第１の無線ネットワーク情報と、
該第１の情報コンテンツとは異なる第２の情報コンテンツを有し、第２の無線ネットワークに関連する第２の無線ネットワーク情報と
を含む、請求項１５に記載の方法。
【請求項２１】
前記無線ネットワーク同報通信情報が、
第１のフォーマットを有し、第１の無線ネットワークに関連する第１の無線ネットワーク情報と、
該第１のフォーマットとは異なる第２のフォーマットを有し、第２の無線ネットワークに関連する第２の無線ネットワーク情報と
を含む、請求項１５に記載の方法。
【請求項２２】
無線機器であって、
１つ以上のプロセッサと、
該１つ以上のプロセッサに接続されたメモリと、
該１つ以上のプロセッサに接続された無線周波数（ＲＦ）トランシーバと、
該ＲＦトランシーバに接続されたアンテナと
を備え、
該１つ以上のプロセッサは、
ＲＦトランシーバを用いることによって無線ローカルアリアネットワークからの同報通信情報をモニタし、
該無線ローカルエリアネットワークによって規則正しく同報通信されるジェネリックコンテナメッセージであって、該ジェネリックコンテナメッセージは、利用可能な１つ以上の無線ネットワークに関連し、かつ利用可能な１つ以上のネットワークに関連する１つ以上の規格に従ってコンテンツおよびフォーマットが変化する、無線ネットワーク同報通信情報を含む、ジェネリックコンテナメッセージを受信し、
該ジェネリックコンテナメッセージをデコードすることによって、該利用可能な１つ以上の無線ネットワークに関連する該無線ネットワーク同報通信情報を識別し、
該無線ネットワーク同報通信情報を該メモリ内に格納する
ように動作可能である、無線機器。
【請求項２３】
規則正しく同報通信される前記ジェネリックコンテナメッセージが、前記無線ローカルエリアネットワークによって定期的に同報通信される、請求項２２に記載の無線機器。
【請求項２４】
前記１つ以上のプロセッサが、前記メモリ内に格納された前記無線ネットワーク同報通信情報を用いて、通信に利用可能な前記１つ以上の無線ネットワークのうちの１つを選択するようにさらに動作可能である、請求項２２に記載の無線機器。
【請求項２５】
前記ジェネリックコンテナメッセージが技術特有コンテナを含む、請求項２２に記載の無線機器。
【請求項２６】
前記ジェネリックコンテナメッセージが、第１の無線ネットワークに関連する技術規格または規格団体を識別するためのデータフィールドを含む、請求項２２に記載の無線機器。
【請求項２７】
無線ローカルエリアネットワークによってネットワーク同報通信情報を１つ以上の無線機器へ提供する方法であって、該方法は、
利用可能な１つ以上の無線ネットワークまたはネットワークデータベースから、該利用可能な１つ以上の無線ネットワークに関連する無線ネットワーク同報通信情報を受信するステップと、
該利用可能な１つ以上のネットワークに関連する１つ以上の規格に従ってコンテンツおよびフォーマットが異なる該無線ネットワーク同報通信情報を、ジェネリックコンテナメッセージとして提供するステップと、
無線機器からプローブリクエストを受信するステップと、
該プローブリクエストに応じて該ジェネリックコンテナメッセージを該無線機器へ送信させるステップと
を包含する、方法。
【請求項２８】
前記ジェネリックコンテナメッセージがプローブ応答の一部として前記無線機器へ送信される、請求項２７に記載の方法。
【請求項２９】
ネットワーク相互作用インジケータを規則正しく同報通信させることをさらに包含する、請求項２７に記載の方法。
【請求項３０】
ネットワーク相互作用インジケータを規則正しく同報通信させることであって、該ネットワーク相互作用インジケータは、前記無線ネットワーク同報通信情報が前記無線ローカルエリアネットワークから受信可能であるか否かを示す、ことをさらに包含する、請求項２７に記載の方法。
【請求項３１】
前記ジェネリックコンテナメッセージが、第１の無線ネットワークに関連する技術規格または規格団体を識別するためのデータフィールドを含む、請求項２７に記載の方法。
【請求項３２】
前記無線ネットワーク同報通信情報が、
第１の情報コンテンツを有し、第１の無線ネットワークに関連する第１の無線ネットワーク情報と、
該第１の情報コンテンツとは異なる第２の情報コンテンツを有し、第２の無線ネットワークに関連する第２の無線ネットワーク情報と
を含む、請求項２７に記載の方法。
【請求項３３】
前記無線ネットワーク同報通信情報が、
第１のフォーマットを有し、第１の無線ネットワークに関連する第１の無線ネットワーク情報と、
該第１のフォーマットとは異なる第２のフォーマットを有し、第２の無線ネットワークに関連する第２の無線ネットワーク情報と
を含む、請求項２７に記載の方法。
【請求項３４】
無線ローカルエリアネットワーク（ＷＬＡＮ）であって、利用可能な１つ以上の無線ネットワークまたはネットワークデータベースから、利用可能な１つ以上の無線ネットワークに関連する無線ネットワーク同報通信情報を受信し、該利用可能な１つ以上のネットワークに関連する１つ以上の基準に従ってコンテンツおよびフォーマットが変化する該無線ネットワーク同報通信情報をジェネリックコンテナメッセージとして提供し、無線機器からプローブリクエストを受信し、該プローブリクエストに応じて該ジェネリックコンテナメッセージを該無線機器へ送信させるように適合された、ＷＬＡＮ。
【請求項３５】
前記ジェネリックコンテナメッセージがプローブ応答の一部として前記無線機器へ送信される、請求項３４に記載のＷＬＡＮ。
【請求項３６】
前記ＷＬＡＮがネットワーク相互作用インジケータを規則正しく同報通信させるようにさらに動作可能である、請求項３４に記載のＷＬＡＮ。
【請求項３７】
前記ＷＬＡＮがネットワーク相互作用インジケータを規則正しく同報通信させるようにさらに動作可能であり、該ネットワーク相互作用インジケータは前記無線ネットワーク情報が該ＷＬＡＮから受信可能であるか否かを示す、請求項３４に記載のＷＬＡＮ。
【請求項３８】
前記ジェネリックコンテナメッセージが、第１の無線ネットワークに関連する技術規格または規格団体を識別するためのデータフィールドを含む、請求項３４に記載のＷＬＡＮ。
【請求項３９】
無線ローカルエリアネットワークからのネットワーク同報通信情報を無線機器によって受信・処理する方法であって、該方法は、
無線ローカルエリアネットワークへプローブリクエストを送信させるステップと、
該プローブリクエストに応じて該無線ローカルエリアネットワークからジェネリックコンテナメッセージを受信するステップであって、該ジェネリックコンテナメッセージは、利用可能な１つ以上のネットワークに関連する１つ以上の無線規格に従ってコンテンツおよびフォーマットが変化する、ステップと、
該ジェネリックコンテナメッセージをデコードすることによって該利用可能な１つ以上の無線ネットワークに関連する無線ネットワーク同報通信情報を識別するステップと、
該無線ネットワーク同報通信情報を該メモリ内に格納するステップと
を包含する、方法。
【請求項４０】
前記メモリ内に格納された前記無線ネットワーク同報通信情報を用いて、通信に利用可能な前記１つ以上の無線ネットワークのうちの１つを選択することをさらに包含する、請求項３９に記載の方法。
【請求項４１】
前記無線ネットワーク同報通信情報が、複数のセルラーネットワークに関連するセルラーネットワーク同報通信情報を含む、請求項３９に記載の方法。
【請求項４２】
前記ジェネリックコンテナメッセージが、第１の無線ネットワークに関連する技術規格または規格団体を識別するためのデータフィールドを含む、請求項３９に記載の方法。
【請求項４３】
前記無線ネットワーク同報通信情報が、
第１の情報コンテンツを有し、第１の無線ネットワークに関連する第１の無線ネットワーク情報と、
該第１の情報コンテンツとは異なる第２の情報コンテンツを有し、第２の無線ネットワークに関連する第２の無線ネットワーク情報と
を含む、請求項３９に記載の方法。
【請求項４４】
前記無線ネットワーク同報通信情報が、
第１のフォーマットを有し、第１の無線ネットワークに関連する第１の無線ネットワーク情報と、
該第１のフォーマットとは異なる第２のフォーマットを有し、第２の無線ネットワークに関連する第２の無線ネットワーク情報と
を含む、請求項３９に記載の方法。
【請求項４５】
前記無線ローカルエリアネットワークからの同報通信情報をモニタすることと、
前記無線ネットワーク同報通信情報が前記無線ローカルエリアネットワークから受信可能であるか否かを示す、ネットワーク相互作用インジケータを受信することと
をさらに包含する、請求項３９に記載の方法。
【請求項４６】
前記無線ローカルエリアネットワークからの同報通信情報をモニタすることと、
規則正しく同報通信されたネットワーク相互作用インジケータを受信することと、
該無線ネットワーク同報通信情報は該無線ローカルエリアネットワークから利用可能であるということを該ネットワーク相互作用インジケータが示していると識別することと
をさらに包含し、前記プローブリクエストを送信させるステップが、該識別するステップの識別に基づいている、請求項３９に記載の方法。
【請求項４７】
無線機器であって、
１つ以上のプロセッサと、
該１つ以上のプロセッサに接続されたメモリと、
該１つ以上のプロセッサに接続された無線周波数（ＲＦ）トランシーバと、
該ＲＦトランシーバに接続されたアンテナと
を備え、該１つ以上のプロセッサは、
無線ローカルエリアネットワークへプローブリクエストを送信させ、
ジェネリックコンテナメッセージであって、利用可能な１つ以上のネットワークに関連する１つ以上の無線規格に従ってコンテンツおよびフォーマットが変化する、ジェネリックコンテナメッセージを、該プローブリクエストに応じて該無線ローカルエリアネットワークから受信し、
該ジェネリックコンテナメッセージをデコードすることによって該利用可能な１つ以上の無線ネットワークに関連する無線ネットワーク同報通信情報を識別し、
該無線ネットワーク同報通信情報を該メモリ内に格納する
ように動作可能である、無線機器。
【請求項４８】
前記１つ以上のプロセッサが、前記メモリ内に格納された前記無線ネットワーク同報通信情報を用いて、通信に利用可能な前記１つ以上の無線ネットワークのうちの１つを選択するようにさらに動作可能である、請求項４７に記載の無線機器。
【請求項４９】
前記無線ネットワーク同報通信情報が、複数のセルラーネットワークに関連するセルラーネットワーク同報通信情報を含む、請求項４７に記載の無線機器。
【請求項５０】
前記ジェネリックコンテナメッセージが、第１の無線ネットワークに関連する技術規格または規格団体を識別するためのデータフィールドを含む、請求項４７に記載の無線機器。
【請求項５１】
前記１つ以上のプロセッサが、
前記無線ローカルエリアネットワークからの同報通信情報をモニタし、
規則正しく同報通信されたネットワーク相互作用インジケータを受信する
ようにさらに動作可能である、請求項４７に記載の無線機器。
【請求項５２】
前記１つ以上のプロセッサが、
前記無線ローカルエリアネットワークからの同報通信情報をモニタし、
前記無線ネットワーク同報通信情報が前記無線ローカルエリアネットワークから受信可能であるか否かを示す、ネットワーク相互作用インジケータを受信する
ようにさらに動作可能である、請求項４７に記載の無線機器。
【請求項５３】
前記１つ以上のプロセッサが、
前記無線ローカルエリアネットワークからの同報通信情報をモニタし、
規則正しく同報通信されたネットワーク相互作用インジケータを受信し、
該無線ネットワーク同報通信情報は該無線ローカルエリアネットワークから利用可能であるということを該ネットワーク相互作用インジケータが示していると識別する
ようにさらに動作可能であり、
前記プローブリクエストを送信させることが、該無線ネットワーク同報通信情報は該無線ローカルエリアネットワークから利用可能であるということを該ネットワーク相互作用インジケータが示していると識別することに基づいている、請求項４７に記載の無線機器。
【発明の詳細な説明】
【技術分野】
【０００１】
（関連出願の相互参照）
本出願は、出願番号第６０／５２３，５１５号を有する「Ｓｙｓｔｅｍ  ａｎｄ  Ｍｏｄｅｌ  Ｏｆ  Ｐｒｏｖｉｄｉｎｇ  Ｃｅｌｌｕｌａｒ  Ｎｅｔｗｏｒｋ  Ｉｎｆｏｒｍａｔｉｏｎ  Ｔｏ  ＷＬＡＮ  Ｅｎａｂｌｅｄ  Ｗｉｒｅｌｅｓｓ  Ｃｏｍｍｕｎｉｃａｔｉｏｎ  Ｄｅｖｉｃｅｓ」と題され、２００３年１１月１９日に出願された、米国仮特許出願の優先権を主張する。
【０００２】
（技術分野）
本出願は、一般に、無線ローカルエリアネットワーク（ＷＬＡＮ）およびセルラーネットワークの両方と通信する無線通信機器に関し、より詳細には、ＷＬＡＮを介して、移動局への一つ以上のセルラーネットワークのためのセルラーネットワーク情報の通信に関する。
【背景技術】
【０００３】
無線ローカルエリアネットワーク（ＷＬＡＮ）の分野において、バイナリおよびテキスト情報を用いたＷＬＡＮに特定の情報を同報通信する既存の方法が存在する。また、携帯電話のサービスにアクセス可能でありながら、同時にＷＬＡＮを介して、より高い帯域幅への携帯電話のユーザのアクセスを提供するために、ＷＬＡＮを、一つ以上の第三世代パートナーシッププロジェクト（３ＧＰＰ）のセルラーネットワークと通信させることを可能にする先駆けもまた存在する。
【０００４】
ＷＬＡＮは、当初は、無線ＬＡＮ接続用に設計され、セルラーネットワーク通信のための対策はなされていなかった。従来、ＷＬＡＮとセルラーネットワークとの間の「相互作用（ｉｎｔｅｒｗｏｒｋｉｎｇ）」が存在するかどうかに注意を向けることに、適切な方法が提供されていないのである。さらに、所定のＷＬＡＮが相互作用し得るセルラーネットワーク、または、移動局に、通信のためにセルラーネットワークを選択させるための任意の他の情報を識別するための、適切な技術が確立されていないのである。
【０００５】
現在、ＷＬＡＮはテキストの文字列を同報通信し得、Ｓｅｒｖｉｃｅ  Ｓｅｔ  ＩＤ（ＳＳＩＤ）と呼ばれ、それ自体を識別する。ＷＬＡＮのオペレータは、ブランド情報、および／またはスマートクライアントアプリケーションによって使用される名前などのデータを含む、それらの必要に特定の、それら自体の同報通信情報（つまり、ＳＳＩＤ）をしばしば確立する。ＷＬＡＮオペレータは、セルラーネットワーク識別子と、それらを互換性のあるようにするために、それらの同報通信ＳＳＩＤを変更することを嫌がる。
【０００６】
多数のネットワークの中での相互接続は、加入者識別モジュール（ＳＩＭ）またはユニバーサル（Ｕｎｉｖｅｒｓａｌ）加入者識別モジュール（Ｕ−ＳＩＭ）が、加入者を識別するために使用されることを要求する。Ｕ−ＳＩＭはまた、加入者が使用を許可された好適なネットワークおよび禁じられたネットワークを識別する情報を含む。この情報は、ＳＩＭまたはＵ−ＳＩＭにおける、モバイル国別コード（ＭＣＣ）およびモバイルネットワークコード（ＭＮＣ）の対として格納される。同報通信ＳＳＩＤがＷＬＡＮに割り当てられ、ＷＬＡＮのオペレータがそれを変更することを望まない場合、ＭＣＣおよびＭＮＣの対がＷＬＡＮから移動局へ同報通信され得る、確立された方法は存在しない。
【０００７】
移動局を、他のサポートされたＳＳＩＤのためのＷＬＡＮをプローブ（ｐｒｏｂｅ）させるメカニズムが存在する。しかしながら、ＷＬＡＮがＳＳＩＤをサポートする場合、ＷＬＡＮはプローブリクエストに応答するのみである。それゆえ、移動局は、ＷＬＡＮがセルラーネットワークの相互作用をサポートするかどうかを決定するために、全ての既知のネットワークをプローブする必要がある。そのような方法は、多大な時間を必要とし、非効率的であり、移動局のバッテリー寿命を減じる。セルラーネットワーク情報を、ＷＬＡＮ使用可能な移動局に提供する、より効率の良い方法の必要性が存在する。
【発明の開示】
【課題を解決するための手段】
【０００８】
無線ローカルエリアネットワーク（ＷＬＡＮ）からＷＬＡＮ通信可能な無線通信機器へネットワーク同報通信情報を提供するための方法および装置を本明細書に記載する。
【０００９】
１つの例示的な方法は、利用可能な１つ以上の無線ネットワークまたはネットワークデータベースから、利用可能な１つ以上の無線ネットワークに関連する無線ネットワーク同報通信情報を受信するステップと、利用可能な１つ以上のネットワークに関連する１つ以上の規格に従ってコンテンツおよびフォーマットが異なる無線ネットワーク同報通信情報を、ジェネリックコンテナメッセージとして提供するステップと、ジェネリックコンテナメッセージを、無線機器による受信および使用のために規則正しく同報通信させるステップとを含む。
【００１０】
代替的な方法において、ステップは、無線ネットワーク同報通信情報がＷＬＡＮから受信可能であるか否かを示すネットワーク相互作用インジケータを規則正しく同報通信させることと、無線機器からプローブリクエストを受信することと、無線機器からのプローブリクエストに応じて、無線ネットワーク同報通信情報をジェネリックコンテナメッセージとして無線機器へ送信させることとを含む。
【００１１】
好ましくは、ジェネリックコンテナメッセージ中の無線ネットワーク同報通信情報は、異なるタイプのセルラーネットワークに関連するセルラーネットワーク同報通信情報を含む。ジェネリックコンテナメッセージは、代替的に、または追加的に、ＷＬＡＮに対して利用可能である異なるタイプの無線ネットワーク（たとえばＷｉ−ＭＡＸ）からの無線同報通信情報を含み得る。本発明の特定の実施形態に関する以下の記載を添付の図面と共に検討すれば、本出願のその他の局面および特徴は当業者に明白となろう。
【発明を実施するための最良の形態】
【００１２】
本出願の実施形態は、例示する方法のみであるが、添付された図面を参照して記載される。同様の参照番号は、同じ要素を示すように、異なる図面にて用いられる。
【００１３】
無線ローカルエリアネットワーク（ＷＬＡＮ）からのネットワーク情報をＷＬＡＮ使用可能な無線通信機器へ提供するための方法および装置は、本明細書において説明されている。例示的な一方法は、一つ以上の利用可能なセルラーネットワークまたはネットワークデータベースから一つ以上の利用可能なセルラーネットワークに関連するセルラーネットワーク同報通信情報を受信するステップ、一つ以上の利用可能なセルラーネットワークに関連する一つ以上のセルラー規格に従ってコンテンツおよび形式が変化するジェネリックコンテナメッセージにセルラーネットワーク同報通信情報を提供するステップ、およびジェネリックコンテナメッセージが無線機器による受信および使用に対して定期的に同報通信されるステップを含む。代替のアプローチにおいて、ステップは、セルラーネットワーク同報通信情報がＷＬＡＮからの受信に対して利用可能であるかを示すネットワーク相互作用インジケータを定期的に同報通信することと、無線機器からプローブリクエストを受信することと、無線機器からのプローブリクエストに応答して、セルラーネットワーク同報通信情報がジェネリックコンテナメッセージにおいて無線機器に送信されるようにすることを含む。ジェネリックコンテナメッセージが、代替的にまたは加えて、ＷＬＡＮに利用可能な異なるタイプの無線ネットワーク（例えば、Ｗｉ−ＭＡＸ）からの無線ネットワーク同報通信情報を含むことに留意したい。
【００１４】
従って、その技術は、ネットワーク選択の目的のためにこの情報を使用し得るＷＬＡＮ使用可能無線機器にネットワーク同報通信情報を提供する。ネットワーク同報通信情報は、定期的なインターバルにおいてＷＬＡＮによって同報通信され得、または無線機器によってＷＬＡＮから請求され得る。好ましくは、セルラーネットワーク情報は、ＷＬＡＮに利用可能な一つ以上のネットワークに関連する一つ以上のセルラー規格に従ってコンテンツおよび形式が変化するジェネリックコンテナメッセージに含まれる。請求されたアプローチが使用された場合、無線機器は、ＷＬＡＮに関連する周知のサービスセット識別子（ＳＳＩＤ）のためにプローブリクエストを送ることによってネットワーク同報通信情報をリクエストする。プローブリクエストの受信をもって、ＷＬＡＮは、プローブ応答においてジェネリックコンテナメッセージを無線機器に送信する。この請求アプローチにおいて、ＷＬＡＮからの同報通信情報は、ネットワーク相互作用が利用可能であることを示すインジケータ（例えば、フラグ）を含む。このインジケータを検出すると、無線機器は、ネットワーク同報通信情報の取得のプローブリクエストを実行する。
【００１５】
図面を参照すると、図１は、無線通信システム１００において動作する無線通信機器１０２の基本的な構成要素を示す概略的なブロック図である。図１に示されているように、無線機器１０２は、無線ローカルエリアネットワーク（ＷＬＡＮ）１９０と通信するように適合される。更に、図示されているように、無線機器１０２は、セル式電気通信ネットワークである無線通信ネットワーク１０４と通信するように適合され得る。無線ネットワーク１０４との無線通信のために、無線機器１０２は、無線周波数（ＲＦ）トランシーバ回路１０８ａおよびアンテナ１１０ａを使用する。ＷＬＡＮ  １９０との無線通信のために、無線機器１０２は、ＲＦトランシーバ回路１０８ｂおよびアンテナ１１０ｂを使用する。そのような構成をもって、無線機器１０２は、「デュアルモード」通信機器として言及され得る。図１には、別々および独立したトランシーバ構成要素を有すものとして示されているが、これらの、そうでない場合、異なるトランシーバの、少なくとも一部分または一部の構成要素は、可能な場合、共有され得る。無線機器１０２は、代替的に、ＲＦトランシーバ１０８ａおよびアンテナ１１０ａを有していないが、むしろＷＬＡＮ  １９０とのみ通信する「シングルモード」機器になり得ることに留意したい。
【００１６】
無線機器１０２は、好ましくは、視覚表示装置１１２、キーボード１１４、および、ことによると、各々が制御装置１０６に結合されている一つ以上の補助ユーザインターフェース（ＵＩ）１１６を含む。制御装置１０６は、ＲＦトランシーバ回路１０８ｂおよびアンテナ１１０ｂとともに、ＲＦトランシーバ回路１０８ａおよびアンテナ１１０ａにも結合される。一般的に、制御装置１０６は、メモリ構成要素（図示せず）においてオペレーティングシステムソフトウェアを走らせる中央処理装置（ＣＰＵ）として組み入れられる。制御装置１０６は、通常、無線機器１０２の全体的な動作を制御し、通信機能と関連する信号処理動作は、一般的に、ＲＦトランシーバ回路において実行される。制御装置１０６は、受信された情報、格納された情報、ユーザ入力等を表示するために機器の表示装置１１２とインターフェースによって接続する。電話型キーパッドまたは全英数字キーボードになり得るキーボード１１４は、通常、無線機器１０２にある記憶装置のために、ネットワーク１０４への送信情報、電話をするための電話番号、無線機器１０２において実行されるコマンド、および可能であれば、他のまたは異なるユーザ入力であるデータを入力するために提供される。
【００１７】
無線機器１０２は、無線通信リンクに通信信号を送信し、無線通信リンクを通じて通信信号を受信する。例えば、無線機器１０２は、アンテナ１１０ａを介して無線ネットワーク１０４と通信し得る。ＲＦトランシーバ回路１０８ａは、例えば、変調／復調、可能であれば、符号化／複合化および暗号化／解読を含む、無線ネットワーク（ＲＮ）１２８と同様の機能を実行する。ＲＦトランシーバ回路１０８ａは、ＲＮ  １２８によって実行されるものに追加して、所定の機能を実行し得ることも考慮されている。ＲＦトランシーバ回路１０８ａが、無線機器が１０２が動作することを意図されている特定の無線ネットワークまたは複数のネットワークに適合されることは、当業者に明瞭になるであろう。
【００１８】
無線機器１０２は、一つ以上の充電式バッテリー１２４を受け取るためにバッテリーインターフェース１２２を含む。バッテリー１２４は、無線機器１０２にある電気回路に電力を提供し、バッテリーインターフェース１２２は、バッテリー１２４のために機械的および電気的な接続を提供する。バッテリーインターフェース１２２は、機器への電力を調節するレギュレータ１２６に結合される。無線機器１０２は、インターフェース１１８において無線機器１０２にインサートまたは接続される、加入者識別モジュール（ＳＩＭ）、ユニバーサルＳＩＭ（Ｕ−ＳＩＭ）、またはリムーバブルユーザ識別モジュール（Ｒ−ＵＩＭ）のようなメモリモジュール１２０も用いて動作する。
【００１９】
無線機器１０２は、例えば、データ通信機器、携帯電話、データおよび音声通信能力を有すマルチ機能通信機器、無線通信ができる携帯情報端末（ＰＤＡ）または内臓モデムを組み込んでいるコンピュータのような、単一ユニットによって構成され得る。代替的に、無線機器１０２は、無線モデムに接続されているコンピュータまたは他のデバイスを含むものであるが、これらに限定されない、複数の、別々の構成要素を含む複数モジュールユニットになり得る。特に、例えば、図１の無線機器のブロック図においては、ＲＦトランシーバ回路１０８ａおよびアンテナ１１０ａは、ラップトップコンピュータのポートにインサートされ得る、無線モデムユニットとして実施され得る。この場合、ラップトップコンピュータは、ディスプレイ１１２、キーボード１１４、一つ以上の補助ＵＩ  １１６、およびコンピュータのＣＰＵとして組み入れられている制御装置１０６を含む。無線通信が通常可能ではないコンピュータまたは他の装置が、上記のうちの一つのように、単一ユニット機器のＲＦトランシーバ回路１０８ａおよびアンテナ１１０ａに接続され、これらの効率的な制御を想定するように適合され得ることも考慮されたい。そのような無線機器１０２は、図２の移動局２０２に関連して後で説明されるように、より具体的な実施を有し得る。
【００２０】
本明細書において特定の通信技術を使用するように記載されているが、無線ネットワーク１０４は、任意の適した通信プロトコル、特に、広帯域符号分割多重アクセス（Ｗ−ＣＤＭＡ）およびＥｎｈａｎｃｅｄ  Ｄａｔａ  ｒａｔｅｓ  ｆｏｒ  Ｇｌｏｂａｌ  Ｅｖｏｌｕｔｉｏｎ（ＥＤＧＥ）技術に従って、動作し得る。図１の実施形態において、無線ネットワーク１０４は、ＣＤＭＡ技術に基づく第３世代（３Ｇ）のサポートされたネットワークである。特に、無線ネットワーク１０４は、図１に示されているように、結合された固定のネットワーク構成要素を含むＣＤＭＡ２０００ネットワークである。ＣＤＭＡ２０００タイプの無線ネットワーク１０４は、無線ネットワーク（ＲＮ）１２８、Ｍｏｂｉｌｅ  Ｓｗｉｔｃｈｉｎｇ  Ｃｅｎｔｅｒ（ＭＳＣ）１３０、信号システム７（ＳＳ７）ネットワーク１４０、Ｈｏｍｅ  Ｌｏｃａｔｉｏｎ  Ｒｅｇｉｓｔｅｒ／Ａｕｔｈｅｎｔｉｃａｔｉｏｎ  Ｃｅｎｔｅｒ（ＨＬＲ／ＡＣ）１３８、パケットデータサービングノード（ＰＤＳＮ）１３２、ＩＰネットワーク１３４、およびＲｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ（ＲＡＤＩＵＳ）サーバ１３６を含む。ＳＳ７ネットワーク１４０は、ネットワーク１４２（例えば、公衆電話交換ネットワークまたはＰＳＴＮ）に通信的に結合され、ＩＰネットワークは、ネットワーク１４４（インターネットのような）に通信的に結合される。
【００２１】
動作の間、無線機器１０２は、呼設定、呼処理、およびモビリティ管理のような機能を実行するＲＮ  １２８と通信する。ＲＮ  １２８は、通常「セル」と言及される特定のカバレージエリアのための無線ネットワークカバレージを提供する複数の基地局トランシーバシステムを含む。図１に示されているもののように、ＲＮ  １２８の所定の基地局トランシーバシステムは、それ自体のセル内における無線機器に、および無線機器から、通信信号を送信し、通信信号を受信する。基地局トランシーバシステムは、通常、変調や、可能であれば、その制御装置の制御下において、特定の、通常は所定の通信プロトコルおよびパラメータに従って無線機器に送信される信号の符号化および／または暗号化などの機能を実行する。基地局トランシーバシステムは、同様に、必要な場合、そのセル内における無線機器１０２から受信される任意の通信信号を復調し、可能であれば、復号および解読する。通信プロトコルおよびパラメータは、異なるネットワークの間において変わり得る。例えば、一つのネットワークが、他のネットワークと異なる変調スキームを使用し得、異なる周波数において動作し得る。基礎（ｕｎｄｅｒｌｙｉｎｇ）サービスも、その特定のプロトコルリビジョンによって異なり得る。
【００２２】
図１の通信システム１００に示されている無線リンクは、一つ以上の異なるチャネル、一般に、異なる無線周波数（ＲＦ）チャネル、ならびに無線ネットワーク１０４と無線機器１０２との間に使用される関連するプロトコルを表す。ＲＦチャネルは、一般的に全体の帯域幅の制限によって格納されるべき限定されたリソースおよび無線機器１０２の限定されたバッテリーパワーである。当業者は、実際の実践における無線ネットワークが、ネットワークカバレージの所望された全体の拡張によって何百ものセルを含み得ることを認めるであろう。全ての関連する構成要素は、複数のスイッチおよびルータ（図示せず）によって接続され得、複数のネットワーク制御装置によって制御され得る。
【００２３】
ネットワークオペレータによって登録される全ての無線機器１０２に対して、一時データ（無線機器１０２の現在の配置のような）とともにパーマネントデータ（無線機器１０２のユーザプロファイルのような）が、ＨＬＲ／ＡＣ  １３８に格納される。無線機器１０２への音声呼出しの場合、ＨＬＲ／ＡＣ  １３８が無線機器１０２の現在の位置を決定するために質問（ｑｕｅｒｙ）される。ＭＳＣ  １３０のＶｉｓｉｔｏｒ  Ｌｏｃａｔｉｏｎ  Ｒｅｇｉｓｔｅｒ（ＶＬＲ）は、配置エリアのグループの責任を有し、その時に責任のエリアにいる無線機器のデータを格納する。これは、より早いアクセスのためにＨＬＲ／ＡＣ  １３８からＶＬＲに送信されたパーマネント無線機器データの一部を含む。しかしながら、ＭＳＣ  １３０のＶＬＲは、一時的な識別のようなローカルデータも割当ておよび格納し得る。無線機器１０２は、ＨＬＲ／ＡＣ  １３８によるシステムアクセスにおいても認証される。パケットデータサービスをＣＤＭＡ２０００ベースのネットワークにおいて無線機器１０２に提供するために、ＲＮ  １２８はＰＤＳＮ  １３２と通信する。ＰＤＳＮ  １３２は、ＩＰネットワーク１３４を介してインターネット１４４（またはイントラネット、無線アプリケーションプロトコル（ＷＡＰ）サーバ等）へのアクセスを提供する。ＰＤＳＮ  １３２は、仮想プライベートネットワーキングのためのパケットトランスポートとともに、モバイルＩＰネットワークにおける外部のエージェント（ＦＡ）の機能も提供する。ＰＤＳＮ  １３２は、様々なＩＰアドレスを有し、ＩＰアドレス管理、セッション保持、および任意のキャッシングを実行する。ＲＡＤＩＵＳサーバ１３６は、パケットデータサービスの認証、認可、およびアカウンティング（ＡＡＡ）に関する機能を実行する責任を有し、ＡＡＡサーバとして言及され得る。
【００２４】
当業者は、無線ネットワーク１０４が、図１に明白に示されていない、他のネットワークを含み得る他のシステムに接続され得ることを認識する。実際にパケットデータが全く交換されない場合においても、ネットワークは、通常、少なくともページングおよびシステム情報等を進行ベースにおいて送信する。ネットワークは多数のパーツによって構成されているが、これらのパーツは、無線リンクにおける所定の動作という結果になるように全て一緒に作業する。
【００２５】
図２は、図１の好ましい無線機器のより詳細な図、すなわち、移動局２０２である。移動局２０２は、好ましくは、他のコンピュータシステムと通信する能力を含む、少なくとも音声および高度なデータ通信能力を有す双方向通信デバイスである。移動局２０２によって提供される機能により、データメッセージングデバイス、双方向ページャ、データメッセージング能力を有す携帯電話、無線インターネット機器（ａｐｐｌｉａｎｃｅ）、またはデータ通信機器（この機器は、電話技術能力を有すまたは有さない）として言及され得る。
【００２６】
図２に示されているように、移動局２０２は、ＷＬＡＮ１９０とワイヤレスに通信するように適合される。更に、示されているように、移動局２０２は、セルラー基地局トランシーバシステム２００とワイヤレスに通信するようにも適合され得る。セルラーネットワークとの通信のために、移動局２０２は、通信サブシステム２１１を使用する。ＷＬＡＮとの通信のために、移動局２０２は、通信サブシステム２１１と同等の構造の構成要素を有す追加の通信サブシステム２９１を使用する。そのような構成に対して、移動局２０２は、「デュアルモード」移動局として言及され得る。図２は、別々および独立したサブシステムを有すものとして示されているが、これらの、そうでない場合、異なるサブシステムの、少なくとも一部分または一部の構成要素は、可能な場合、共有され得る。移動局２０２は、代替的に、通信サブシステム２１１を有していないがむしろ通信サブシステム２９１を介してＷＬＡＮ  １９０とのみ通信する「シングルモード」移動局になり得ることに留意したい。
【００２７】
通信サブシステム２１１は、受信器２１２、送信器２１４、および関連する構成要素、例えば、一つ以上の（好ましくは、組込み式または内部の）アンテナ要素２１６および２１８、局部発振器（ＬＯ）２１３、およびデジタル信号プロセッサ（ＤＳＰ）２２０のような処理モジュールを含む。通信サブシステム２１１は、図１に示されているＲＦ送信器回路１０８ａおよびアンテナ１１０ａに類似している。通信の分野の当業者に明瞭になるように、通信サブシステム２１１の特定のデザインは、移動局２０２の動作が意図される通信ネットワークによる。
【００２８】
移動局２０２は、要求されたネットワーク手順が完成された後、ネットワークを介して通信信号を送信および受信し得る。ネットワークを介してアンテナ２１６によって受信された信号は、信号増幅、周波数ダウンコンバージョン、フィルタリング、チャネル選択等および図２に示されているアナログ・デジタル（Ａ／Ｄ）変換のような共通受信器機能を実行し得る受信器２１２への入力である。受信された信号のＡ／Ｄ変換は、復調および復号のようなより複雑な通信機能がＤＳＰ  ２２０において実行されることを認める。同様に、送信される信号は、例えば、ＤＳＰ  ２２０によって、処理される。この処理は、例えば、変調および符号化を含む。これらのＤＳＰ処理信号は、デジタル・アナログ（Ｄ／Ａ）変換、周波数アップコンバージョン、フィルタリング、増幅およびアンテナ２１８を介す通信ネットワークを通じての送信のための送信器２１４への入力である。ＤＳＰ  ２２０は、通信信号を処理するだけではなく、受信器および送信器制御のために提供もする。例えば、受信器２１２および送信器２１４にある通信信号に適用されているゲインは、ＤＳＰ  ２２０において実施される自動的なゲイン制御アルゴリズムを介してアダプティブに制御され得る。
【００２９】
ネットワークアクセスは加入者または移動局２０２のユーザに関連し、従って、移動局２０２は、加入者識別モジュールすなわち「ＳＩＭ」カード、ユニバーサルＳＩＭ（Ｕ−ＳＩＭ）、もしくはリムーバブルユーザ識別モジュール（Ｒ−ＵＩＭ）のようなメモリモジュール２６２が、ネットワークにおいて動作できるように、移動局２０２のインターフェース２６４にインサートまたは接続されるように要求する。移動局２０２がモバイルバッテリー式の機器であるため、一つ以上の充電式バッテリー２５６を受け取るためにバッテリーインターフェース２５４も含む。そのようなバッテリー２５６は、移動局２０２におけるほぼ全ての、そうでない場合、全部ではないが大抵の電気回路に電気パワーを提供し、バッテリーインターフェース２５４は、そのために機械的および電気的な接続を提供する。バッテリーインターフェース２５４は、全ての回路にパワーＶ＋を提供するレギュレータ（図２に図示せず）に結合される。
【００３０】
移動局２０２は、移動局２０２の全ての動作を制御するマイクロプロセッサ２３８（図１の制御装置１０６の一実施である）を含む。この制御は、本アプリケーションの無線同報通信情報処理テクニックを含む。少なくともデータおよび音声通信を含む通信機能は、通信サブシステム２１１を介して実行される。マイクロプロセッサ２３８は、ディスプレイ２２２、フラッシュメモリ２２４、ランダムアクセスメモリ（ＲＡＭ）２２６、補助入力／出力（Ｉ／Ｏ）サブシステム２２８、シリアルポート２３０、キーボード２３２、スピーカ２３４、マイクロホン２３６、短距離通信サブシステム２４０、および２４２において通常指定される任意の他のデバイスサブシステムのような追加のデバイスサブシステムとも相互作用する。図２において示されている一部のサブシステムは、通信関連の機能を実行する一方、他のサブシステムは、「レジデント」またはオンデバイス機能を提供し得る。特に、キーボード２３２およびディスプレイ２２２のような一部のサブシステムは、例えば、通信ネットワークを通じての送信に対するテキストメッセージを入力することのような通信関連の機能および計算機またはタスクリストのようなデバイスレジデント機能の両方のために使用され得る。マイクロプロセッサ２３８によって使用されるオペレーティングシステムソフトウェアは、好ましくは、代替的に読取専用メモリ（ＲＯＭ）または同様の記憶装置要素（図表せず）になり得るフラッシュメモリ２２４のような固定記憶装置（ｐｅｒｓｉｓｔｅｎｔ  ｓｔｏｒｅ）に格納される。当業者は、オペレーティングシステム、特定のデバイスアプリケーション、またはそれらのパーツが、ＲＡＭ  ２２６のような揮発性記憶装置（ｖｏｌａｔｉｌｅ  ｓｔｏｒｅ）に一時的にロードされ得ることを認識する。
【００３１】
マイクロプロセッサ２３８は、そのオペレーティングシステム機能に追加して、好ましくは、移動局２０２におけるソフトウェアアプリケーションの実行を可能にする。少なくともデータおよび音声通信アプリケーションを含む、基本的なデバイス動作を制御するアプリケーションの所定のセットは、その製造の間、移動局２０２に正常にインストールされる。移動局２０２にロードされ得る好ましいアプリケーションは、ｅメール、カレンダーイベント、ヴォイスメール、アポイントメント、およびタスクアイテムに限定されていないが、そのようなユーザに関するデータアイテムを編成および管理する能力を有す個人情報マネージャ（ＰＩＭ）アプリケーションになり得る。もちろん、一つ以上のメモリ記憶装置（ｓｔｏｒｅ）は、ＰＩＭデータアイテムおよび他の情報の記憶装置を容易にするために移動局２０２およびＳＩＭ  ２５６において利用可能である。
【００３２】
ＰＩＭアプリケーションは、好ましくは、無線ネットワークを介してデータアイテムを送信および受信する能力を有する。好ましい実施形態においては、ＰＩＭデータアイテムは、無線ネットワークを介してシームレスに統合、同期およびアップデートされ、ここで、無線機器ユーザの該当するデータアイテムは、格納されおり、および／またはホストコンピュータシステムに関連し、従って、移動局２０２において、そのようなアイテムに関係するミラーホストコンピュータを生成する。これはホストコンピュータシステムが無線機器ユーザのオフィスコンピュータシステムである場合、特に有利である。追加のアプリケーションも、ネットワーク、補助Ｉ／Ｏサブシステム２２８、シリアルポート２３０、短距離通信サブシステム２４０、または任意の他の適したサブシステム２４２を介して移動局２０２にロードされ得、マイクロプロセッサ２３８による実行に対してＲＡＭ  ２２６または好ましくは、不揮発性記憶装置（図示せず）のユーザによってインストールされる。アプリケーションインストレーションのそのような適応性は、移動局２０２の機能を増やし、拡張されたオンデバイス機能、通信関連の機能、またはその両方を提供し得る。例えば、安全な通信アプリケーションは、電子商取引機能および他のそのような経済的取引きが、移動局２０２を用いて実行されるようにし得る。
【００３３】
データ通信モードにおいて、テキストメッセージ、ｅメールメッセージ、またはウェブページダウンロードなどの受信された信号は、通信サブシステム２１１およびマイクロプロセッサ２３８への入力によって処理される。マイクロプロセッサ２３８は、好ましくは、ディスプレイ２２２、または代替的に、補助Ｉ／Ｏデバイス２２８への出力のための信号をさらに処理する。移動局２０２のユーザはまた、例えば、ディスプレイ２２２、および可能であれば、補助Ｉ／Ｏデバイス２２８と連動するキーボード２３２を用いて、例えば、ｅメールメッセージなどの、データアイテムを作成し得る。キーボード２３２は、好ましくは、完全な英数字のキーボード、および／または電話型キーパッドである。これらの作成されたアイテムは、通信サブシステム２１１を介して、通信ネットワークに亘って送信され得る。
【００３４】
音声通信にとって、移動局２０２の全体の動作は、受信された信号が、スピーカ２３４への出力であり、送信のための信号が、マイクロホン２３６によって生成されることを除いて、実質的に類似している。音声メッセージ記録サブシステムなどの、代替的な音声またはオーディオのＩ／Ｏサブシステムはまた、移動局２０２上にてインプリメントされ得る。音声またはオーディオ信号出力は、好ましくは、スピーカ２３４を介して、第１に達成されるが、ディスプレイ２２２はまた、一部の例として、話者のＩＤ、通話期間、または他の通話に関連する情報の指示を提供するために使用され得る。
【００３５】
図２におけるシリアルポート２３０は、通常、ユーザのデスクトップコンピュータを用いた同期化が、所望される（必要に応じてではあるが）構成要素である、携帯情報端末（ＰＤＡ）タイプの通信デバイスにおいて、インプリメントされる。シリアルポート２３０によって、ユーザは、外部デバイス、またはソフトウェアアプリケーションを介して好みをセットすることが可能であり、シリアルポート２３０は、無線通信ネットワークを介する以外に、移動局２０２に対して、情報またはソフトウェアダウンロードを提供することによって、移動局２０２の能力を拡張する。代替のダウンロード経路は、例えば、直接および信頼性のある、信用された接続を介して、移動局２０２に暗号化キーをロードするために使用され得、それにより、セキュアなデバイス通信を提供する。
【００３６】
図２の短距離通信サブシステム２４０は、移動局２０２と、異なるシステムまたはデバイス（それらは、必ずしも類似したデバイスである必要はない）との間の通信を提供する、追加的な任意の構成要素である。例えば、サブシステム２４０は、赤外線デバイスおよび関連する回路および構成要素、またはＢｌｕｅｔｏｏｔｈＴＭ通信モジュールを含み得、同様に可能なシステムおよびデバイスを用いた通信を提供する。ＢｌｕｅｔｏｏｔｈＴＭは、Ｂｌｕｅｔｏｏｔｈ  ＳＩＧ，  Ｉｎｃ．の登録商標である。
【００３７】
図３は、無線ローカルエリアネットワーク（ＷＬＡＮ）３０４、セルラー通信ネットワーク３０６、３０８および３１０、ならびに、ＷＬＡＮ使用可能な無線機器３００および３０２を含む、通信システムを例示するブロック図である。ＷＬＡＮ使用可能な無線機器３００および３０２は、図１および図２に関連して記載されるような構造および動作を有し得る。さらに多くの無線機器、ＷＬＡＮ、および例示されたものに付け加えて、通信システムに提供されるセルラーネットワークが存在し得ることに注意されたい。示されるように、ＷＬＡＮ  ３０４は、一つ以上のセルラーネットワーク３０６、３０８、および３１０に接続される。ＷＬＡＮ  ３０４は、有線接続または他の適切な手段（例えば、Ｔ１／Ｅ１接続またはポイントツーポイント（ｐｏｉｎｔ−ｔｏ−ｐｏｉｎｔ）無線リンクを介する手段）を介して、セルラーネットワーク３０６、３０８、および３１０から情報を受信する。ＷＬＡＮは、適切な領域または環境において配置され得、および、通常は、コーヒーショップ、レストラン、ホテル、空港、および会社のオフィスなどに見出される。ＷＬＡＮが適用範囲を提供する領域は、通常、「ホットスポット（ｈｏｔ  ｓｐｏｔ）」と呼ばれ得る。無線機器３００および３０２は、無線周波数（ＲＦ）通信リンクを介して、ＷＬＡＮ  ３０４内にてワイヤレスに、およびＷＬＡＮ  ３０４を介して、通信する。ＷＬＡＮは、通常、無線機器３００および３０２のより高い帯域幅のデータ通信を提供するために、従来の電話通信接続を用いて、インターネットに有線接続される。ＷＬＡＮ  ３０４は、例えば、ＩＥＥＥ規格またはＥＴＳＩ規格に従って動作するが、任意の適切な通信技術が用いられ得る。
【００３８】
図４は、ＷＬＡＮと無線機器との間のセルラーネットワーク情報の通信を提供する一般的な方法を示すフローチャートである。この方法は、図１および図２に関連して図示および記載された無線機器を用いて、図３に関連して記載された環境において実行され得る。それらのステップは、任意の他の必要なデバイスの構成要素（例えば、そのＲＦトランシーバ）と関連する、無線機器の一つ以上のコントローラまたはプロセッサ（例えば、図２におけるマイクロプロセッサ２３８）によって実行される。この記載から明らかなように、ＷＬＡＮは、無線機器の方法に関連した、補完的な方法を実行する。本出願のコンピュータプログラム製品は、格納媒体（例えば、図２のフラッシュメモリ２２４）、および、本方法を実行するための一つ以上のプロセッサによって実行される格納媒体に格納されたコンピュータ命令を含み得る。
【００３９】
図４のスタートブロック４０２において開始され、無線機器は、適用範囲内の任意の利用可能なＷＬＡＮを識別するために、そのＲＦトランシーバを用いて、スキャン動作を実行する（図４のステップ４０４）。このステップにおいて、無線機器は、その現在のロケーションにおいて利用可能な全ての可能なＷＬＡＮを識別するために、全ての利用可能な帯域（２．４ギガヘルツ、５ギガヘルツ、または両方）をスキャンする。少なくとも一つのＷＬＡＮが識別されると想定すると、無線機器は、ＷＬＡＮの一つを選択し、その選択されたＷＬＡＮからの同報通信情報を監視するために、そのＲＦトランシーバを使用する。監視した後、無線機器はＷＬＡＮから同報通信情報を受信する（図４のステップ４０６）。同報通信情報は、好ましくは所定の反復レートにおいて、ＷＬＡＮによって、全ての互換性のある無線機器へ、定期的に、または周期的に同報通信される。特に、同報通信情報は、「ビーコンフレーム（ｂｅａｃｏｎ  ｆｒａｍｅ）」として知られる、定期的に同報通信されたフレーム内にセットされ得る。これらのフレームは、それらが同報通信フレームであるかどうかを示すヘッダ情報を含む。
【００４０】
同報通信情報は、「ジェネリックコンテナメッセージ（ｇｅｎｅｒｉｃ  ｃｏｎｔａｉｎｅｒ  ｍｅｓｓａｇｅ）」と呼ばれるものを含み得る。ジェネリックコンテナメッセージは、ＷＬＡＮ（例えば、図３のＷＬＡＮ  ３０４に利用可能なセルラーネットワーク３０６、３０８、および３１０）に利用可能な全てのセルラーネットワークに関連するセルラーネットワーク同報通信情報を含む。その名から明らかなように、ジェネリックコンテナメッセージは、技術または規格に特定のものではなく、様々に異なるセルラーネットワーク（例えば、３ＧＰＰ、３ＧＰＰ２、または他の適切な規格）の任意の一つ以上からのネットワーク同報通信情報を含み得る。その情報が、異なるセルラー技術および／または規格に関連するネットワークから受信され得る場合、そのジェネリックコンテナメッセージにおける情報は、そのネットワークに関連された一つ以上のセルラー規格に従い、コンテンツおよび形式において変化し得る。例えば、セルラーのフォーマットは、第三世代パートナーシッププロジェクト（３ＧＰＰ）、および／または第三世代パートナーシッププロジェクト２（３ＧＰＰ２）、および／または、他のセルラーまたは無線ネットワーク規格に基づき得る。ジェネリックコンテナメッセージにおける技術特有の情報は、技術または団体のアイデンティフィケーションなどの、適切なアイデンティフィケーションによって識別される。
【００４１】
このように、ＷＬＡＮは、二つ以上の異なるセルラー規格および／または通信プロトコルによって規定されたコンテンツおよび形式を有するネットワーク同報通信情報を受信し得る。セルラーネットワーク同報通信情報は、関連するセルラーネットワークによって、通常、同報通信される情報の全て、あるいはそのサブセットを含み得る。好ましくは、セルラーネットワーク情報は、他の情報の中でも、独自にセルラーネットワークを識別する情報を有する同報通信情報を含む。例えば、セルラーネットワークを独自に識別する情報は、システムＩＤ（ＳＩＤ）および／またはモバイル国別コード（ＭＣＣ）、およびモバイルネットワークコード（ＭＮＣ）の対を含み得る。
【００４２】
ＷＬＡＮは、初めに、利用可能なセルラーネットワーク、または一つ以上のネットワークデータベースから情報を受信し、その情報を、ジェネリックコンテナメッセージに提供またはフォーマットする。好ましくは、セルラーネットワーク情報は、技術、ネットワーク、およびコンテンツに従い、組織された方法において格納される（例えば、以下の表１を参照）。
【００４３】
【表１】
2007515877.tif 000002
ジェネリックコンテナメッセージは、代替的に、または追加的に、ＷＬＡＮに利用可能な任意の無線ネットワークから、無線ネットワーク同報通信情報（セルラーネットワーク同報通信情報とは対照に）を含み得る。例えば、ジェネリックコンテナメッセージは、Ｗｉ−ＭＡＸ技術に従って動作する、一つ以上の利用可能な無線ネットワークに関連する無線ネットワーク同報通信情報を含み得る。Ｗｉ−ＭＡＸは、ポイントツーマルチポイント（ＰＭＰ）構成を用いた、固定無線ブロードバンドアクセスシステムのためのＩＥＥＥ８０２．１６エアインターフェース規格に基づいた技術である。
【００４４】
ＷＬＡＮからの同報通信情報がジェネリックコンテナメッセージを含む場合、無線機器はそのジェネリックコンテナメッセージを受信およびデコードし、それによって、その中に含まれるネットワーク同報通信情報を明らかにする（図４のステップ４０８）。無線機器は、次いで、この情報をメモリに格納する（好ましくは、上の表１に関連して示され、記載された、組織された方法において）。このように、無線機器は、その無線機器が相互接続し得る多数の異なるタイプのネットワークのための、利用可能なネットワーク同報通信情報を格納する。好ましくは、無線機器は、不揮発性メモリにおいてこの情報を保持し、その結果、その情報は、無線機器が電源をオフにされても保持する。
【００４５】
そのような情報は、無線機器が出くわす、それぞれのＷＬＡＮに格納されることに注意されたい。無線機器のメモリにおいて、無線機器が出くわすそれぞれのＷＬＡＮ（好ましくは、例えば、ＳＳＩＤに基づく）と、ＷＬＡＮから受信された利用可能なセルラーネットワーク情報との間の関連付けがなされる。また、同報通信情報は、それぞれのネットワークに関連付けられた同報通信インターバルデータを含み得る。そのインターバルデータは、情報が同報通信されるインターバルを示す。すなわち、インターバルデータは、同報通信の反復レートを計算するために使用される。上の表１を参照して、３ＧＰＰ情報は、１からｎまでの同報通信情報を有し、１からｎまでの関連されたインターバルデータを有する。また、別個のコンテナは、１からｎまでの同報通信情報、および、１からｎまでの関連されたインターバルデータを有する３ＧＰＰ２情報を格納する。
【００４６】
以前のスキャン動作から識別されたさらなるＷＬＡＮが存在する場合（図４のステップ４１０）、無線機器は、それぞれのそのようなＷＬＡＮに対するステップを繰り返す。存在しない場合、無線機器は、「ステルスモード（ｓｔｅａｌｔｈ  ｍｏｄｅ）」にて動作し得る、既知のＷＬＡＮを請求する。ステルスモードにて動作する間、ＷＬＡＮは、そのＳＳＩＤを無線機器に同報通信することを控える。無線機器は、ＷＬＡＮのサービスセット識別子（ＳＳＩＤ）を用い、「プローブリクエスト」とともに、そのようなＷＬＡＮに請求し得る。このように、無線機器は、ＷＬＡＮの、既知の格納されたＳＳＩＤのために、ＷＬＡＮにプローブリクエストを送信し得る（図４のステップ４１４）。ＷＬＡＮは、通常は、無線機器によって受信されるプローブ応答を用いて、無線機器に応答する（図４の４１５）。ネットワークの相互作用がＷＬＡＮによってサポートされる場合、ＷＬＡＮは、そのプローブ応答におけるジェネリックコンテナメッセージ（上述したように）を、無線機器へ戻す（図４のステップ４１６）。このジェネリックコンテナメッセージは、前述したように、無線機器によって受信、デコード、および格納される。ネットワーク相互作用がＷＬＡＮによってサポートされない場合、ステップ４１６は実行されない。次に、プローブリクエストを検討するために、追加的な格納されたＳＳＩＤが存在する場合（図４のステップ４１８）、無線機器は、追加のＷＬＡＮをプローブするために、ステップ４１４、ステップ４１５、およびステップ４１６を繰り返す。
【００４７】
その後、無線機器は、選択されたＷＬＡＮ上に選択および登録する（図４のステップ４１２）。これによって、無線機器およびＷＬＡＮは通信することが可能となる（図４のステップ４２０）。無線機器は、次いで、ネットワーク同報通信情報を受信した後、ネットワーク選択を実行し得、ジェネリックコンテナメッセージから識別されたネットワークの一つと通信する。特に、無線機器は、ネットワーク選択を実行するために、セルラーネットワーク情報内のＭＣＣ／ＭＮＣの対（またはＳＩＤ）を利用し得る。無線機器は、ＷＬＡＮを介して、これらのネットワーク（例えば、その「ホーム」ネットワーク、または好ましいネットワークリストに従った、またはユーザインターフェースを介した手動の選択を通した、他のネットワーク）のうちの一つを選択し得る。特に、無線機器は、ネットワークアクセス識別子（ＮＡＩ）を用いて、その選択されたネットワークを有するＷＬＡＮに信号を送る。これは、セルラーネットワーク選択のための、無線機器の従来のスキャン動作の代わりである。
【００４８】
図４のステップ４０８において、無線機器は、ＷＬＡＮから、同報通信情報における任意のジェネリックコンテナメッセージを受信しない場合もあるということに留意されたい。むしろ、無線機器は、ネットワーク同報通信情報がＷＬＡＮから利用可能であるかどうかを示す、ネットワーク相互作用インジケータ（例えば、ビットフラグ）を受信し得る。無線機器は、このインジケータに基づいて、ＷＬＡＮに対してプローブリクエストを実行する決定をなす。特に、そのインジケータが、ネットワーク同報通信情報がＷＬＡＮから利用可能であると示した場合（例えば、ビットフラグ＝「１」）、無線機器は、そのＳＳＩＤを用いて、ＷＬＡＮへのプローブリクエストを実行する。そのインジケータが、ネットワーク同報通信情報がＷＬＡＮから利用可能でないと示した場合（例えば、ビットフラグ＝「０」）、無線機器は、ＷＬＡＮへのプローブリクエストを実行することを控える。
【００４９】
このように、本出願のＷＬＡＮは、一つ以上の利用可能なセルラーネットワークまたはネットワークデータベースから、一つ以上の利用可能なセルラーネットワークに関連するセルラーネットワーク同報通信情報を受信し、一つ以上の利用可能なセルラーネットワークに関連する一つ以上のセルラー規格に従い、コンテンツおよび形式が変化するジェネリックコンテナメッセージに、セルラーネットワーク同報通信情報を提供し、そのジェネリックコンテナメッセージを、無線機器による受信および使用のために、定期的に同報通信させるように適合される。他方で、本出願の無線機器は、一つ以上のプロセッサ、一つ以上のプロセッサに結合されるメモリ、一つ以上のプロセッサに結合される無線周波数（ＲＦ）トランシーバ、ＲＦトランシーバに結合されるアンテナを含む。無線機器の一つ以上のプロセッサは、ＲＦトランシーバを用いて、無線ローカルエリアネットワークからの同報通信情報をモニタすることと、無線ローカルエリアネットワークによって規則正しく同報通信される、ジェネリックコンテナメッセージを受信することであって、ジェネリックコンテナメッセージは、１つ以上の利用可能なネットワークに関連するセルラーネットワーク同報通信情報を含み、該１つ以上の利用可能なネットワークに関連する１つ以上のセルラー規格に従ってコンテンツおよびフォーマットが異なる、ことと、ジェネリックコンテナメッセージをデコードすることによって利用可能な１つ以上のセルラーネットワークに関連するセルラーネットワーク同報通信情報を識別することと、セルラーネットワーク同報通信情報を該メモリ内に格納することとをするように動作する。
【００５０】
あるいは、本出願のＷＬＡＮは、利用可能な１つ以上のセルラーネットワークまたはネットワークデータベースから、利用可能な１つ以上のセルラーネットワークに関連するセルラーネットワーク同報通信情報を受信することと、利用可能な１つ以上のネットワークに関連する１つ以上のセルラー規格に従ってコンテンツおよびフォーマットが異なるセルラーネットワーク同報通信情報を、ジェネリックコンテナメッセージに提供することと、無線機器からプローブリクエストを受信することと、プローブリクエストに応じてジェネリックコンテナメッセージを無線機器へ送信させることとをするように適合される。ＷＬＡＮはさらに、ネットワーク相互作用インジケータを同報通信させるように適合され得、ここで、ネットワーク相互作用インジケータは、セルラーネットワーク同報通信情報がＷＬＡＮから受信可能であるか否かを示す。他方で、本無線機器は、一つ以上のプロセッサ、一つ以上のプロセッサに結合されるメモリ、一つ以上のプロセッサに結合される無線周波数（ＲＦ）トランシーバ、ＲＦトランシーバに結合されるアンテナを含む。無線機器の一つ以上のプロセッサは、無線ローカルエリアネットワークへプローブリクエストを送信させることと、プローブリクエストに応じて無線ローカルエリアネットワークからジェネリックコンテナメッセージを受信することであって、該ジェネリックコンテナメッセージは、利用可能な１つ以上のネットワークに関連する１つ以上のセルラー規格に従ってコンテンツおよびフォーマットが変化する、ことと、ジェネリックコンテナメッセージをデコードすることによって利用可能な１つ以上のセルラーネットワークに関連するセルラーネットワーク同報通信情報を識別することと、セルラーネットワーク同報通信情報を無線機器のメモリ内に格納することとをするように動作する。１つ以上のプロセッサは、同報通信されるネットワーク相互作用インジケータを受信するようにさらに動作可能であり得る。ここで、ネットワーク相互作用インジケータは、セルラーネットワーク同報通信情報が無線ローカルエリアネットワークから利用可能であるか否かを示す。
【００５１】
図５は、無線機器上におけるネットワーク選択を示すブロック図である。ネットワーク選択は、ネットワークセレクタ５０４および検出器モジュール５１０を用いて実行される。このプロセスに含まれる他のモジュールは、ユーザ入力アクティベータモジュール５０２、ユーザディスプレイモジュール２２２、記憶装置要素５０６および５０８、送信器２１２、および受信器２１４を含み得る。ＷＬＡＮから同報通信情報を受信した後、受信器２１２はその情報を検出器モジュール２４２へパスする。検出器モジュール２４２は、ＷＬＡＮがネットワーク相互作用性能を有するかどうかを検出するように適合される。いったんネットワークセレクタ５０４が、それが記憶装置要素５０８に格納されたＷＬＡＮ３０４から十分な情報を有すると決定した場合、それは、無線機器３００が、ローミング（ｒｏａｍ）を許可されたネットワークを用いて、記憶装置要素５０６に格納されたこの情報を使用する。記憶装置要素５０６は、セルラーネットワーク相互作用に関して、ＳＩＭまたはＵ−ＳＩＭであり得る。記憶装置要素５０８における情報と記憶装置要素５０６における情報との間の比較が、次いで実行される。いったんネットワークが選択されると、それは、ユーザディスプレイ２２２を介してユーザに表示される。他方で、ユーザが手動でのネットワーク選択を実行することを許可された場合、全ての利用可能なネットワークは、ユーザディスプレイ２２２を介してユーザに表示され、そのユーザは、ユーザ入力アクティベータモジュール５０２を用いて、ネットワークを選択することが可能である。
【００５２】
図６は、ＷＬＡＮ使用可能な無線機器のための、特定のネットワーク選択方法のさらに詳細なフローチャートである。この方法は、図１および図２に関連して示され、記載された無線機器を用いて、図３に関連して記載される環境において実行され得る。それらのステップは、任意の他の必要なデバイス構成要素（例えば、そのＲＦトランシーバ）に関連する無線機器の、一つ以上のコントローラまたはプロセッサ（例えば、図２のマイクロプロセッサ２３８）によって実行される。この記載から明らかなように、ＷＬＡＮは、無線機器の方法に関連した補完的な方法を実行する。本出願のコンピュータプログラム製品は、記憶装置媒体（例えば、図２のフラッシュメモリ２２４）、および、そのような方法を実行するための一つ以上のプロセッサによって実行される記憶装置媒体に格納されるコンピュータ命令を含み得る。
【００５３】
図６のプロセスは、ステップ６０２にて始まり、無線機器は、ステップ６０４において、ＷＬＡＮからの同報通信情報を受信する。無線機器は、ジェネリックコンテナメッセージが同報通信情報内に存在するかどうかを決定する（図６のステップ６０６）。ジェネリックコンテナメッセージがステップ６０６に存在しない場合、無線機器は、ネットワーク相互作用がＷＬＡＮから利用可能であるかどうかを示すフラグが存在するかどうかを決定する（図６のステップ６０８）。ネットワーク相互作用フラグがステップ６０８に存在する場合、ネットワークセレクタ５０４（図５）は、ＷＬＡＮへのプローブリクエストを実行するように信号を送信する（図６のステップ６１０）。いったんプローブリクエストが完了すると、無線機器は、プローブ応答がＷＬＡＮから受信されたかどうかを決定する（図６のステップ６１２）。しかしながら、ネットワーク相互作用フラグがステップ６０８に存在しない場合、ネットワークセレクタ５０４（図５）は、ステップ６１６にて、プローブリクエストを実行するように信号を送信する。システムは、次いで、プローブリクエストが完了されたかどうかを決定する（図６のステップ６１８）。プローブリクエストがステップ６１８にて完了した場合、本方法はステップ６１２に進む。プローブリクエストがステップ６１８にて完了されない場合、本方法はステップ６１４に進む。
【００５４】
プローブ応答がステップ６１２にて受信された場合、または、ジェネリックコンテナがステップ６０６に存在する場合、本方法はステップ６２０に進み、記憶装置要素５０６において、ジェネリックコンテナメッセージからのネットワーク同報通信情報を格納する（図５）。格納後、ネットワークセレクタ５０４は、状態変化に伴って、信号を送信される（図６のステップ６２２）。この状態変化は通信され、その結果、無線機器は、ステップ６１４にて、他の利用可能なＷＬＡＮをスキャンする。ステップ６１８（プローブリクエストはなされていない）、ステップ６１２（プローブ応答が受信されていない）、および、ステップ６２２（ネットワークセレクタへその状態に伴い信号を送信する）は全て、他のＷＬＡＮを見出すことの企てを決定する、決定ボックス６１４に入る。ステップ６１４において識別された他のＷＬＡＮが存在する場合、本方法は、次のＷＬＡＮのために、ステップ６０４に再び退く。
【００５５】
他のＷＬＡＮがステップ６１４にて見出されない場合、無線機器は、受信された情報と、記憶装置要素５０６および５０８において格納された情報とを比較する（図６のステップ６２４）。次に、ネットワーク選択の手動モードまたはネットワーク選択の自動モードのいずれかが、無線機器のために識別される（図６のステップ６２６）。自動モードがステップ６２６において識別される場合、所望されるネットワークは、ステップ６２４の比較に基づいて、通信のための無線機器によって自動的に選択される（図６のステップ６３２）。手動モードがステップ６２６において識別される場合、無線機器は、利用可能な、および許可されたネットワークを、エンドユーザに、視覚的に表示する（図６のステップ６２８）。そのエンドユーザは、次いで、無線機器のユーザインターフェースを介して、ネットワークを選択し、これは、ネットワークセレクタにその状態の信号を送信し（図６のステップ６３０）、所望されるネットワークは、ステップ６３２にて通信のために選択される。
【００５６】
図７は、ＷＬＡＮによって送信され、無線機器において受信されたジェネリックコンテナメッセージのためのメッセージフォーマットの一例である。この特定の例において、ジェネリックコンテナメッセージ７０２は、タグフィールド７０４、バージョンフィールド７０６、長さフィールド７０８、技術／規格団体フィールド７１０、および、技術特有のコンテナフィールド７１２を含む。タグフィールド７０４は、ジェネリックコンテナメッセージとしてのメッセージを識別するデータを含み、バージョンフィールド７０６は、ジェネリックコンテナメッセージ７０２の（規格）バージョンを識別するデータを含み、団体フィールド７０８は、技術に特有のコンテナ７１２のコンテンツおよび形式を規定するものを識別するデータを含み、長さフィールド７１０は、技術特有のコンテナ７１２のデータ長を識別するデータを含み、技術特有のコンテナフィールド７１２は、団体フィールド７０８において識別される特定のセルラー技術に特有であるセルラー同報通信情報を含む。複数の技術特有のコンテナは、対応する長さおよび団体の識別子に沿って、ジェネリックコンテナメッセージ７０２（ＷＬＡＮの適用範囲領域において利用可能なセルラーネットワークの数に依存する）において順次提供され得る。
【００５７】
明らかなように、ジェネリックコンテナメッセージ７０２は、技術特有のコンテナ１２における情報のコンテンツおよび形式が、団体フィールド７０８において識別される任意のセルラー規格団体によって規定され得る。全体のジェネリックコンテナメッセージ７０２は、所定のメッセージフォーマット（この特定の例が明らかにするように）を有するが、技術特有のコンテナ７１２内のコンテンツおよび形式はフレキシブルであり、異なるセルラー規格団体によって規定される。無線機器は団体フィールド７０８を使用し、技術特有のコンテナ７１２において、情報をデコードする適切な技術を選択する。
【００５８】
上述したように、ジェネリックコンテナメッセージは、代替的に、または追加的に、ＷＬＡＮに利用可能である、異なるタイプの無線ネットワーク（例えば、Ｗｉ−ＭＡＸ）からの無線ネットワーク同報通信情報を含み得る。図７におけるジェネリックコンテナメッセージ７０２のためのメッセージフォーマットは特定の例に過ぎず、変形は無数である。例えば、ジェネリックコンテナメッセージはタグフィールドおよび技術特有のコンテナを含み得るが、他のものは含まない。ジェネリックコンテナメッセージ８０２のこの代替的な例は、図８において示される。この場合、技術特有のコンテナにおいて見出された特定のセルラー技術フォーマット／プロトコルが含意され得る。あるいは、特定のセルラー技術フォーマット／プロトコルが、タグフィールドにおいて示され得る。移動局は、技術特有のコンテナにおける情報を読み出し、別のタグフィールドが識別された場合、終了する。別の例として、ジェネリックコンテナメッセージはタグフィールド、バージョンフィールド、技術特有のコンテナを含み得るが、その他のものは含まない。さらに別の例において、ジェネリックコンテナメッセージは、タグフィールド、バージョンフィールド、長さフィールド、および技術特有のコンテナを含む。
【００５９】
ここで記載されるように、ネットワーク同報通信情報を一つ以上の無線機器に提供する例示的なＷＬＡＮの方法は、利用可能な１つ以上のセルラーネットワークまたはネットワークデータベースから、利用可能な１つ以上のセルラーネットワークに関連するセルラーネットワーク同報通信情報を受信するステップと、利用可能な１つ以上のネットワークに関連する１つ以上のセルラー規格に従ってコンテンツおよびフォーマットが異なるセルラーネットワーク同報通信情報を、ジェネリックコンテナメッセージとして提供するステップと、ジェネリックコンテナメッセージを、無線機器による受信および使用のために規則正しく同報通信させるステップとを含む。本出願のコンピュータプログラム製品は、記憶装置媒体、およびその記憶装置媒体に格納されたコンピュータ命令を含み、そのコンピュータ命令は、記載された方法を実行するために、ＷＬＡＮの一つ以上のプロセッサによって実行可能である。同様に、本出願のＷＬＡＮは、利用可能な１つ以上のセルラーネットワークまたはネットワークデータベースから、利用可能な１つ以上のセルラーネットワークに関連するセルラーネットワーク同報通信情報を受信することと、利用可能な１つ以上のネットワークに関連する１つ以上のセルラー規格に従ってコンテンツおよびフォーマットが異なるセルラーネットワーク同報通信情報を、ジェネリックコンテナメッセージとして提供することと、ジェネリックコンテナメッセージを、無線機器による受信および使用のために規則正しく同報通信させることをするように適合される。ジェネリックコンテナメッセージは、代替的に、または追加的に、ＷＬＡＮに利用可能である無線ネットワーク（例えば、Ｗｉ−ＭＡＸ）の異なるタイプからの無線ネットワーク同報通信情報を含むことに注意されたい。
【００６０】
上述の技術に関連して、無線ローカルエリアネットワークからネットワーク同報通信情報を受信および処理する、例示的な無線機器の方法は、無線ローカルエリアネットワークからの同報通信情報をモニタするステップと、無線ローカルエリアネットワークによって規則正しく同報通信される、無線ローカルエリアネットワークからのジェネリックコンテナメッセージを受信するステップであって、ジェネリックコンテナメッセージは、１つ以上の利用可能なネットワークに関連するセルラーネットワーク同報通信情報を含み、セルラーネットワーク同報通信情報は、１つ以上の利用可能なネットワークに関連する１つ以上のセルラー規格に従ってコンテンツおよびフォーマットが異なる、ステップと、ジェネリックコンテナメッセージをデコードすることによって該利用可能な１つ以上のセルラーネットワークに関連するセルラーネットワーク同報通信情報を識別するステップと、セルラーネットワーク同報通信情報を該メモリ内に格納するステップとを含む。本出願のコンピュータプログラム製品は、記憶装置媒体、およびその記憶装置媒体に格納されたコンピュータ命令を含み、そのコンピュータ命令は、記載された方法を実行するために、無線機器の一つ以上のプロセッサによって実行可能である。本出願の無線機器は、一つ以上のプロセッサ、一つ以上のプロセッサに結合されるメモリ、一つ以上のプロセッサに結合される無線周波数（ＲＦ）トランシーバ、ＲＦトランシーバに結合されるアンテナを含む。無線機器の一つ以上のプロセッサは、ＲＦトランシーバを用いることによって無線ローカルエリアネットワークからの同報通信情報をモニタし、無線ローカルエリアネットワークによって規則正しく同報通信されるジェネリックコンテナメッセージであって、ジェネリックコンテナメッセージは、利用可能な１つ以上のセルラーネットワークに関連し、かつ利用可能な１つ以上のネットワークに関連する１つ以上のセルラー規格に従ってコンテンツおよびフォーマットが変化する、セルラーネットワーク同報通信情報を含み、ジェネリックコンテナメッセージを受信し、ジェネリックコンテナメッセージをデコードすることによって利用可能な１つ以上のセルラーネットワークに関連するセルラーネットワーク同報通信情報を識別し、セルラーネットワーク同報通信情報を該メモリ内に格納するように動作する。無線機器は、デュアルモードデバイスまたはシングルモードデバイスであり得る。ジェネリックコンテナメッセージは、代替的に、または追加的に、ＷＬＡＮに利用可能である無線ネットワーク（例えば、Ｗｉ−ＭＡＸ）の異なるタイプからの無線ネットワーク同報通信情報を含むことに注意されたい。
【００６１】
代替的な技術を用いて、ネットワーク同報通信情報を一つ以上の無線機器に提供する、例示的なＷＬＡＮの方法は、利用可能な１つ以上のセルラーネットワークまたはネットワークデータベースから、利用可能な１つ以上のセルラーネットワークに関連するセルラーネットワーク同報通信情報を受信するステップと、利用可能な１つ以上のネットワークに関連する１つ以上の規格に従ってコンテンツおよびフォーマットが異なるセルラーネットワーク同報通信情報を、ジェネリックコンテナメッセージとして提供するステップと、無線機器からプローブリクエストを受信するステップと、プローブリクエストに応じてジェネリックコンテナメッセージを無線機器へ送信させるステップとを包含する。この代替的な方法は、ネットワーク相互作用インジケータを規則正しく同報通信させるステップをさらに含み得、ネットワーク相互作用インジケータは、セルラーネットワーク同報通信情報がＷＬＡＮから受信可能であるか否かを示す。本出願のコンピュータプログラム製品は、記憶装置媒体、およびその記憶装置媒体に格納されたコンピュータ命令を含み、そのコンピュータ命令は、記載された方法を実行するために、ＷＬＡＮの一つ以上のプロセッサによって実行可能である。本出願のＷＬＡＮは、利用可能な１つ以上のセルラーネットワークまたはネットワークデータベースから、利用可能な１つ以上のセルラーネットワークに関連するセルラーネットワーク同報通信情報を受信することと、利用可能な１つ以上のネットワークに関連する１つ以上の規格に従ってコンテンツおよびフォーマットが異なるセルラーネットワーク同報通信情報を、ジェネリックコンテナメッセージとして提供することと、無線機器からプローブリクエストを受信することと、プローブリクエストに応じてジェネリックコンテナメッセージを無線機器へ送信させることをするように適合される。ＷＬＡＮはさらに、ネットワーク相互作用インジケータを規則正しく同報通信させるように適合され得、ネットワーク相互作用インジケータは、セルラーネットワーク同報通信情報がＷＬＡＮから入手可能であるか否かを示す。ジェネリックコンテナメッセージは、代替的に、または追加的に、ＷＬＡＮに利用可能である無線ネットワーク（例えば、Ｗｉ−ＭＡＸ）の異なるタイプからの無線ネットワーク同報通信情報を含むことに注意されたい。
【００６２】
代替的な技術に関連して、無線ローカルエリアネットワークからネットワーク同報通信情報を受信および処理する無線機器の方法は、無線ローカルエリアネットワークへプローブリクエストを送信させるステップと、プローブリクエストに応じて無線ローカルエリアネットワークからジェネリックコンテナメッセージを受信するステップであって、ジェネリックコンテナメッセージは、利用可能な１つ以上のセルラーネットワークに関連する１つ以上のセルラー規格に従ってコンテンツおよびフォーマットが変化する、ステップと、ジェネリックコンテナメッセージをデコードすることによって利用可能な１つ以上の無線ネットワークに関連するセルラーネットワーク同報通信情報を識別するステップと、セルラーネットワーク同報通信情報をメモリ内に格納するステップとを含む。この代替的な方法は、ネットワーク相互作用インジケータを規則正しく同報通信させるさらなるステップを含み得て、ネットワーク相互作用インジケータは、セルラーネットワーク同報通信情報が入手可能であるか否かを示す。本出願のコンピュータプログラム製品は、記憶装置媒体、およびその記憶装置媒体に格納されたコンピュータ命令を含み、そのコンピュータ命令は、記載された方法を実行するために、無線機器の一つ以上のプロセッサによって実行可能である。本出願の無線機器は、一つ以上のプロセッサ、一つ以上のプロセッサに結合されるメモリ、一つ以上のプロセッサに結合される無線周波数（ＲＦ）トランシーバ、ＲＦトランシーバに結合されるアンテナを含む。無線機器の一つ以上のプロセッサは、無線ローカルエリアネットワークへプローブリクエストを送信させることと、プローブリクエストに応じて無線ローカルエリアネットワークからジェネリックコンテナメッセージを受信することであって、ジェネリックコンテナメッセージは、利用可能な１つ以上のネットワークに関連する１つ以上のセルラー規格に従ってコンテンツおよびフォーマットが変化する、ことと、ジェネリックコンテナメッセージをデコードすることによって利用可能な１つ以上のセルラーネットワークに関連するセルラーネットワーク同報通信情報を識別することと、セルラーネットワーク同報通信情報をメモリ内に格納することとをする動作をする。一つ以上のプロセッサはさらに、同報通信されたネットワーク相互作用インジケータを受信するようにさらに動作し得、ネットワーク相互作用インジケータは、セルラーネットワーク同報通信情報が受信可能であるか否かを示す。ジェネリックコンテナメッセージは、代替的に、または追加的に、ＷＬＡＮに利用可能である無線ネットワーク（例えば、Ｗｉ−ＭＡＸ）の異なるタイプからの無線ネットワーク同報通信情報を含むことに注意されたい。
【００６３】
本出願の上述の実施形態は例示のみを意図されている。例えば、無線機器は、主に、「デュアルモード」として記載されたが、代替的に、ＷＬＡＮを介してのみ通信する「シングルモード」であってもよい。当業者は、本出願の範囲から逸れることなく、特定の実施形態に対して、変更、修正、および変形をもたらし得る。
【図面の簡単な説明】
【００６４】
【図１】無線通信システムにおいて動作する無線通信機器の関連する構成要素を例示するブロック図である。
【図２】図１の好ましい無線機器、特に移動局のさらに詳細なブロック図である。
【図３】無線ローカルエリアネットワーク（ＷＬＡＮ）、セルラー通信ネットワーク、およびＷＬＡＮ使用可能な無線機器を含む、通信システムのブロック図である。
【図４】ＷＬＡＮと無線機器との間のネットワーク同報通信情報の通信を提供する方法を例示するフローチャートである。
【図５】無線機器の通常のネットワーク選択構成要素を例示するブロック図である。
【図６】無線機器によるネットワーク選択の特定の方法を例示するフローチャートである。
【図７】システムにおいて利用され得るジェネリックコンテナメッセージのメッセージフォーマットの一例である。
【図８】システムにおいて利用され得るジェネリックコンテナメッセージのメッセージフォーマットの別の例である。
【図１】
2007515877.tif 000003
【図２】
2007515877.tif 000004
【図３】
2007515877.tif 000005
【図４】
2007515877.tif 000006
【図５】
2007515877.tif 000007
【図６】
2007515877.tif 000008
【図７】
2007515877.tif 000009
【図８】
2007515877.tif 000010
【国際調査報告】
2007515877.tif 000011